(57)【要約】【課題】送信装置が受信装置の近傍を通過する際に、送信装置が送信した通信データと受信装置にて生成される通信データとを一致させることが可能な受信装置を提供すること。【解決手段】この受信装置は、通信データに基づく通信信号をアンテナを介して受信する（１１，１２）。受信装置は、受信した通信信号のドップラーシフト量を推定する（１５ｃ〜１７ｃ）。受信装置は、推定したドップラーシフト量に基づいて通信信号を復調することにより復調済信号を生成する（１４，１５〜１７）。更に、受信装置は、推定したドップラーシフト量の正負を反転させた量に基づいて通信信号を復調することにより復調済信号を生成する（１４，１５〜１７）。受信装置は、生成された復調済信号を合成することにより合成済信号を生成する（１８）。受信装置は、生成した合成済信号に基づいて通信データを生成する。【選択図】図３
2009232329.tif 000002
【特許請求の範囲】
【請求項１】
通信データに基づく通信信号をアンテナを介して受信する受信手段と、
前記受信された通信信号のドップラーシフト量を推定するシフト量推定手段と、
前記推定されたドップラーシフト量に基づいて前記通信信号を復調することにより復調済信号を生成する第１の復調済信号生成手段と、
を備え、
前記生成された復調済信号に基づいて前記通信データを生成する受信装置であって、
前記推定されたドップラーシフト量の正負を反転させた量に基づいて前記通信信号を復調することにより復調済信号を生成する第２の復調済信号生成手段と、
前記第１の復調済信号生成手段により生成された復調済信号と、前記第２の復調済信号生成手段により生成された復調済信号と、を合成することにより合成済信号を生成する合成手段と、
を備え、
前記生成された合成済信号に基づいて前記通信データを生成するように構成された受信装置。
【請求項２】
請求項１に記載の受信装置であって、
前記第２の復調済信号生成手段は、前記推定されたドップラーシフト量が予め設定された閾値量よりも大きい場合に前記復調済信号を生成し、一方、前記推定されたドップラーシフト量が当該閾値量よりも小さい場合に前記復調済信号を生成しないように構成された受信装置。
【請求項３】
請求項１又は請求項２に記載の受信装置であって、
前記通信信号を送信してきた送信装置と前記受信装置との間の距離を推定する距離推定手段を備えるとともに、
前記第２の復調済信号生成手段は、前記推定された距離が予め設定された閾値距離よりも短い場合に前記復調済信号を生成し、一方、前記推定された距離が当該閾値距離よりも長い場合に前記復調済信号を生成しないように構成された受信装置。
【請求項４】
請求項１乃至請求項３のいずれか一項に記載の受信装置であって、
前記第１の復調済信号生成手段は、前記通信信号の伝搬経路毎に前記復調済信号を生成するように構成され、
前記合成手段は、前記第１の復調済信号生成手段により生成された前記伝搬経路毎の復調済信号を合成することにより前記合成済信号を生成するように構成された受信装置。
【請求項５】
請求項１乃至請求項４のいずれか一項に記載の受信装置であって、
前記シフト量推定手段は、前記伝搬経路毎に前記ドップラーシフト量を推定するように構成され、
前記第２の復調済信号生成手段は、前記伝搬経路毎に、前記推定されたドップラーシフト量の正負を反転させた量に基づいて前記通信信号を復調することにより、当該伝搬経路毎の復調済信号を生成するように構成された受信装置。
【請求項６】
請求項１乃至請求項５のいずれか一項に記載の受信装置であって、
前記通信信号は、拡散処理された信号であり、
前記第１の復調済信号生成手段及び前記第２の復調済信号生成手段のそれぞれは、前記通信信号を逆拡散処理し、当該逆拡散処理された信号を復調することにより復調済信号を生成するように構成された受信装置。
【請求項７】
請求項１乃至請求項６のいずれか一項に記載の受信装置であって、
前記第１の復調済信号生成手段及び前記第２の復調済信号生成手段は、複数のフィンガ部と、フィンガ制御部と、からなり、
前記フィンガ制御部は、１つの伝搬経路を特定するパス特定情報と、前記ドップラーシフト量と、を前記フィンガ部へ出力するように構成され、
前記フィンガ部は、前記フィンガ制御部から前記パス特定情報及び前記ドップラーシフト量を入力し、当該入力したパス特定情報及びドップラーシフト量に基づいて前記通信信号を復調することにより、当該パス特定情報が特定する伝搬経路に対する復調済信号を生成するように構成された受信装置。
【請求項８】
通信データに基づく通信信号をアンテナを介して受信する受信手段と、
前記受信された通信信号のドップラーシフト量を推定するシフト量推定手段と、
前記推定されたドップラーシフト量に基づいて前記通信信号を復調することにより復調済信号を生成する第１の復調済信号生成手段と、
を備え、
前記生成された復調済信号に基づいて前記通信データを生成する携帯型端末装置であって、
前記推定されたドップラーシフト量の正負を反転させた量に基づいて前記通信信号を復調することにより復調済信号を生成する第２の復調済信号生成手段と、
前記第１の復調済信号生成手段により生成された復調済信号と、前記第２の復調済信号生成手段により生成された復調済信号と、を合成することにより合成済信号を生成する合成手段と、
を備え、
前記生成された合成済信号に基づいて前記通信データを生成するように構成された携帯型端末装置。
【請求項９】
通信データに基づく通信信号をアンテナを介して受信する受信手段と、
前記受信された通信信号のドップラーシフト量を推定するシフト量推定手段と、
前記推定されたドップラーシフト量に基づいて前記通信信号を復調することにより復調済信号を生成する第１の復調済信号生成手段と、
を備え、
前記生成された復調済信号に基づいて前記通信データを生成する基地局装置であって、
前記推定されたドップラーシフト量の正負を反転させた量に基づいて前記通信信号を復調することにより復調済信号を生成する第２の復調済信号生成手段と、
前記第１の復調済信号生成手段により生成された復調済信号と、前記第２の復調済信号生成手段により生成された復調済信号と、を合成することにより合成済信号を生成する合成手段と、
を備え、
前記生成された合成済信号に基づいて前記通信データを生成するように構成された基地局装置。
【請求項１０】
通信データに基づく通信信号をアンテナを介して受信する受信工程と、
前記受信された通信信号のドップラーシフト量を推定するシフト量推定工程と、
前記推定されたドップラーシフト量に基づいて前記通信信号を復調することにより復調済信号を生成する第１の復調済信号生成工程と、
を含み、
前記生成された復調済信号に基づいて前記通信データを生成するための受信方法であって、
前記推定されたドップラーシフト量の正負を反転させた量に基づいて前記通信信号を復調することにより復調済信号を生成する第２の復調済信号生成工程と、
前記第１の復調済信号生成手段により生成された復調済信号と、前記第２の復調済信号生成手段により生成された復調済信号と、を合成することにより合成済信号を生成する合成工程と、
を含み、
前記生成された合成済信号に基づいて前記通信データを生成するように構成された受信方法。
【請求項１１】
受信装置に、
通信データに基づく通信信号をアンテナを介して受信する受信手段と、
前記受信された通信信号のドップラーシフト量を推定するシフト量推定手段と、
前記推定されたドップラーシフト量に基づいて前記通信信号を復調することにより復調済信号を生成する第１の復調済信号生成手段と、
を実現させるとともに、
前記生成された復調済信号に基づいて前記通信データを生成させるためのプログラムであって、
前記受信装置に、更に、
前記推定されたドップラーシフト量の正負を反転させた量に基づいて前記通信信号を復調することにより復調済信号を生成する第２の復調済信号生成手段と、
前記第１の復調済信号生成手段により生成された復調済信号と、前記第２の復調済信号生成手段により生成された復調済信号と、を合成することにより合成済信号を生成する合成手段と、
を実現させるとともに、
前記生成された合成済信号に基づいて前記通信データを生成させるためのプログラム。
【発明の詳細な説明】
【技術分野】
【０００１】
本発明は、通信データに基づく通信信号をアンテナを介して受信し、受信した通信信号を復調することにより復調済信号を生成し、生成した復調済信号に基づいて通信データを生成する受信装置に関する。
【背景技術】
【０００２】
特許文献１に記載の受信装置は、受信した通信信号のドップラーシフト量を推定し、推定したドップラーシフト量に基づいて通信信号を復調するように構成されている。ここで、ドップラーシフト量は、受信した通信信号の、送信された通信信号からの周波数領域におけるシフト量であって、通信信号を送信する送信装置（例えば、移動局（携帯電話端末等））と受信装置（例えば、基地局）とが相対移動することにより生じるドップラー効果に基づくシフト量である。
【０００３】
一方、送信装置及び／又は受信装置の移動に伴って通信信号の伝搬経路が変化しやすいので、ドップラーシフト量は比較的短い時間内に変動しやすい。そこで、この受信装置は、推定されたドップラーシフト量を時間的に平均した値（シフト量平均値）を用いて通信信号を復調するように構成されている。
【特許文献１】特開２００１−１６１２０号公報
【発明の開示】
【発明が解決しようとする課題】
【０００４】
ところで、図１に示したように、送信装置（この例では、端末装置３）が受信装置（この例では、基地局装置２）の近傍を比較的大きい速度（Ｖ［ｍ／ｓ］）にて通過した場合、ドップラーシフト量は、短い時間のうちに正負を反転させた量に変化する（図２を参照）。即ち、ドップラーシフト量は、短い時間のうちに比較的大きく変化する。更に、送信装置と受信装置とが相対的に移動する速度が大きくなるほど、又は、送信装置と受信装置との間の距離（送信装置と受信装置とが最も近づいた位置における距離）が短くなるほど、ドップラーシフト量の変化量は大きくなる。
【０００５】
しかしながら、上記受信装置においては、シフト量平均値が、実際のドップラーシフト量に十分に近づくまでには比較的長い時間を要する。従って、送信装置が受信装置の近傍を通過する際に、送信装置が送信した通信データ（送信装置が送信した通信信号の基となった通信データ）と、受信装置にて生成される通信データと、が一致しなくなってしまうという問題があった。
【０００６】
このため、本発明の目的は、上述した課題である「送信装置が受信装置の近傍を通過する際に、送信装置が送信した通信データと、受信装置にて生成される通信データと、が一致しなくなること」を解決することが可能な受信装置を提供することにある。
【課題を解決するための手段】
【０００７】
かかる目的を達成するため本発明の一形態である受信装置は、
通信データに基づく通信信号をアンテナを介して受信する受信手段と、
上記受信された通信信号のドップラーシフト量を推定するシフト量推定手段と、
上記推定されたドップラーシフト量に基づいて上記通信信号を復調することにより復調済信号を生成する第１の復調済信号生成手段と、
を備え、
上記生成された復調済信号に基づいて上記通信データを生成する装置である。
【０００８】
更に、この受信装置は、
上記推定されたドップラーシフト量の正負を反転させた量に基づいて上記通信信号を復調することにより復調済信号を生成する第２の復調済信号生成手段と、
上記第１の復調済信号生成手段により生成された復調済信号と、上記第２の復調済信号生成手段により生成された復調済信号と、を合成することにより合成済信号を生成する合成手段と、
を備え、
上記生成された合成済信号に基づいて上記通信データを生成するように構成される。
【０００９】
また、本発明の他の形態である携帯型端末装置は、
通信データに基づく通信信号をアンテナを介して受信する受信手段と、
上記受信された通信信号のドップラーシフト量を推定するシフト量推定手段と、
上記推定されたドップラーシフト量に基づいて上記通信信号を復調することにより復調済信号を生成する第１の復調済信号生成手段と、
を備え、
上記生成された復調済信号に基づいて上記通信データを生成する装置である。
【００１０】
更に、この携帯型端末装置は、
上記推定されたドップラーシフト量の正負を反転させた量に基づいて上記通信信号を復調することにより復調済信号を生成する第２の復調済信号生成手段と、
上記第１の復調済信号生成手段により生成された復調済信号と、上記第２の復調済信号生成手段により生成された復調済信号と、を合成することにより合成済信号を生成する合成手段と、
を備え、
上記生成された合成済信号に基づいて上記通信データを生成するように構成される。
【００１１】
また、本発明の他の形態である基地局装置は、
通信データに基づく通信信号をアンテナを介して受信する受信手段と、
上記受信された通信信号のドップラーシフト量を推定するシフト量推定手段と、
上記推定されたドップラーシフト量に基づいて上記通信信号を復調することにより復調済信号を生成する第１の復調済信号生成手段と、
を備え、
上記生成された復調済信号に基づいて上記通信データを生成する装置である。
【００１２】
更に、この基地局装置は、
上記推定されたドップラーシフト量の正負を反転させた量に基づいて上記通信信号を復調することにより復調済信号を生成する第２の復調済信号生成手段と、
上記第１の復調済信号生成手段により生成された復調済信号と、上記第２の復調済信号生成手段により生成された復調済信号と、を合成することにより合成済信号を生成する合成手段と、
を備え、
上記生成された合成済信号に基づいて上記通信データを生成するように構成される。
【００１３】
また、本発明の他の形態である受信方法は、
通信データに基づく通信信号をアンテナを介して受信する受信工程と、
上記受信された通信信号のドップラーシフト量を推定するシフト量推定工程と、
上記推定されたドップラーシフト量に基づいて上記通信信号を復調することにより復調済信号を生成する第１の復調済信号生成工程と、
を含み、
上記生成された復調済信号に基づいて上記通信データを生成するための方法である。
【００１４】
更に、この受信方法は、
上記推定されたドップラーシフト量の正負を反転させた量に基づいて上記通信信号を復調することにより復調済信号を生成する第２の復調済信号生成工程と、
上記第１の復調済信号生成手段により生成された復調済信号と、上記第２の復調済信号生成手段により生成された復調済信号と、を合成することにより合成済信号を生成する合成工程と、
を含み、
上記生成された合成済信号に基づいて上記通信データを生成するように構成される。
【００１５】
また、本発明の他の形態であるプログラムは、
受信装置に、
通信データに基づく通信信号をアンテナを介して受信する受信手段と、
上記受信された通信信号のドップラーシフト量を推定するシフト量推定手段と、
上記推定されたドップラーシフト量に基づいて上記通信信号を復調することにより復調済信号を生成する第１の復調済信号生成手段と、
を実現させるとともに、
上記生成された復調済信号に基づいて上記通信データを生成させるためのプログラムである。
【００１６】
更に、このプログラムは、
上記受信装置に、更に、
上記推定されたドップラーシフト量の正負を反転させた量に基づいて上記通信信号を復調することにより復調済信号を生成する第２の復調済信号生成手段と、
上記第１の復調済信号生成手段により生成された復調済信号と、上記第２の復調済信号生成手段により生成された復調済信号と、を合成することにより合成済信号を生成する合成手段と、
を実現させるとともに、
上記生成された合成済信号に基づいて上記通信データを生成させるためのプログラムである。
【発明の効果】
【００１７】
本発明は、以上のように構成されることにより、送信装置が受信装置の近傍を通過する際に、送信装置が送信した通信データと、受信装置にて生成される通信データと、を一致させることができる。
【発明を実施するための最良の形態】
【００１８】
本発明の一形態である受信装置は、
通信データに基づく通信信号をアンテナを介して受信する受信手段と、
上記受信された通信信号のドップラーシフト量を推定するシフト量推定手段と、
上記推定されたドップラーシフト量に基づいて上記通信信号を復調することにより復調済信号を生成する第１の復調済信号生成手段と、
を備え、
上記生成された復調済信号に基づいて上記通信データを生成する装置である。
【００１９】
更に、この受信装置は、
上記推定されたドップラーシフト量の正負を反転させた量に基づいて上記通信信号を復調することにより復調済信号を生成する第２の復調済信号生成手段と、
上記第１の復調済信号生成手段により生成された復調済信号と、上記第２の復調済信号生成手段により生成された復調済信号と、を合成することにより合成済信号を生成する合成手段と、
を備え、
上記生成された合成済信号に基づいて上記通信データを生成するように構成される。
【００２０】
これによれば、受信装置は、送信装置が受信装置の近傍を通過する前の時点にて、送信装置が受信装置の近傍を通過した後のドップラーシフト量に基づいて復調済信号を生成する。従って、受信装置は、送信装置が受信装置の近傍を通過した直後の時点にて、実際のドップラーシフト量に十分に近いシフト量に基づいて復調済信号を生成することができる。この結果、送信装置が受信装置の近傍を通過する際に、送信装置が送信した通信データと、受信装置にて生成される通信データと、が一致した状態を維持することができる。
【００２１】
この場合、
上記第２の復調済信号生成手段は、上記推定されたドップラーシフト量が予め設定された閾値量よりも大きい場合に上記復調済信号を生成し、一方、上記推定されたドップラーシフト量が当該閾値量よりも小さい場合に上記復調済信号を生成しないように構成されることが好適である。
【００２２】
ドップラーシフト量が比較的小さい場合には、送信装置が受信装置の近傍を通過する際のドップラーシフト量の変化量は比較的小さい。従って、上記のように、推定されたドップラーシフト量が閾値量よりも小さい場合にドップラーシフト量の推定値の正負を反転させた量に基づいて復調済信号を生成しないように受信装置を構成することにより、ドップラーシフト量の推定値の正負を反転させた量に基づく通信信号の復調が無駄に行われることを防止することができる。
【００２３】
この場合、上記受信装置は、
上記通信信号を送信してきた送信装置と上記受信装置との間の距離を推定する距離推定手段を備えるとともに、
上記第２の復調済信号生成手段は、上記推定された距離が予め設定された閾値距離よりも短い場合に上記復調済信号を生成し、一方、上記推定された距離が当該閾値距離よりも長い場合に上記復調済信号を生成しないように構成されることが好適である。
【００２４】
送信装置と受信装置との間の距離が比較的長い場合には、送信装置が受信装置の近傍を通過する際のドップラーシフト量の変化量は比較的小さい。従って、上記のように、推定された距離が閾値距離よりも長い場合にドップラーシフト量の推定値の正負を反転させた量に基づいて復調済信号を生成しないように受信装置を構成することにより、ドップラーシフト量の推定値の正負を反転させた量に基づく通信信号の復調が無駄に行われることを防止することができる。
【００２５】
この場合、
上記第１の復調済信号生成手段は、上記通信信号の伝搬経路毎に上記復調済信号を生成するように構成され、
上記合成手段は、上記第１の復調済信号生成手段により生成された上記伝搬経路毎の復調済信号を合成することにより上記合成済信号を生成するように構成されることが好適である。
【００２６】
これによれば、送信装置が送信した通信データと、受信装置にて生成される通信データと、をより一層確実に一致させることができる。
【００２７】
この場合、
上記シフト量推定手段は、上記伝搬経路毎に上記ドップラーシフト量を推定するように構成され、
上記第２の復調済信号生成手段は、上記伝搬経路毎に、上記推定されたドップラーシフト量の正負を反転させた量に基づいて上記通信信号を復調することにより、当該伝搬経路毎の復調済信号を生成するように構成されることが好適である。
【００２８】
これによれば、伝搬経路毎にドップラーシフト量が異なる場合であっても、伝搬経路毎の実際のドップラーシフト量に十分に近いシフト量に基づいて復調済信号を生成することができる。この結果、送信装置が送信した通信データと、受信装置にて生成される通信データと、をより一層確実に一致させることができる。
【００２９】
この場合、
上記通信信号は、拡散処理された信号であり、
上記第１の復調済信号生成手段及び上記第２の復調済信号生成手段のそれぞれは、上記通信信号を逆拡散処理し、当該逆拡散処理された信号を復調することにより復調済信号を生成するように構成されることが好適である。
【００３０】
これによれば、受信した通信信号に含まれる外部の雑音（ノイズ）の影響を低減することができる。この結果、送信装置が送信した通信データと、受信装置にて生成される通信データと、をより一層確実に一致させることができる。
【００３１】
この場合、
上記第１の復調済信号生成手段及び上記第２の復調済信号生成手段は、複数のフィンガ部と、フィンガ制御部と、からなり、
上記フィンガ制御部は、１つの伝搬経路を特定するパス特定情報と、上記ドップラーシフト量と、を上記フィンガ部へ出力するように構成され、
上記フィンガ部は、上記フィンガ制御部から上記パス特定情報及び上記ドップラーシフト量を入力し、当該入力したパス特定情報及びドップラーシフト量に基づいて上記通信信号を復調することにより、当該パス特定情報が特定する伝搬経路に対する復調済信号を生成するように構成されることが好適である。
【００３２】
また、本発明の他の形態である携帯型端末装置は、
通信データに基づく通信信号をアンテナを介して受信する受信手段と、
上記受信された通信信号のドップラーシフト量を推定するシフト量推定手段と、
上記推定されたドップラーシフト量に基づいて上記通信信号を復調することにより復調済信号を生成する第１の復調済信号生成手段と、
を備え、
上記生成された復調済信号に基づいて上記通信データを生成する装置である。
【００３３】
更に、この携帯型端末装置は、
上記推定されたドップラーシフト量の正負を反転させた量に基づいて上記通信信号を復調することにより復調済信号を生成する第２の復調済信号生成手段と、
上記第１の復調済信号生成手段により生成された復調済信号と、上記第２の復調済信号生成手段により生成された復調済信号と、を合成することにより合成済信号を生成する合成手段と、
を備え、
上記生成された合成済信号に基づいて上記通信データを生成するように構成される。
【００３４】
また、本発明の他の形態である基地局装置は、
通信データに基づく通信信号をアンテナを介して受信する受信手段と、
上記受信された通信信号のドップラーシフト量を推定するシフト量推定手段と、
上記推定されたドップラーシフト量に基づいて上記通信信号を復調することにより復調済信号を生成する第１の復調済信号生成手段と、
を備え、
上記生成された復調済信号に基づいて上記通信データを生成する装置である。
【００３５】
更に、この基地局装置は、
上記推定されたドップラーシフト量の正負を反転させた量に基づいて上記通信信号を復調することにより復調済信号を生成する第２の復調済信号生成手段と、
上記第１の復調済信号生成手段により生成された復調済信号と、上記第２の復調済信号生成手段により生成された復調済信号と、を合成することにより合成済信号を生成する合成手段と、
を備え、
上記生成された合成済信号に基づいて上記通信データを生成するように構成される。
【００３６】
また、本発明の他の形態である受信方法は、
通信データに基づく通信信号をアンテナを介して受信する受信工程と、
上記受信された通信信号のドップラーシフト量を推定するシフト量推定工程と、
上記推定されたドップラーシフト量に基づいて上記通信信号を復調することにより復調済信号を生成する第１の復調済信号生成工程と、
を含み、
上記生成された復調済信号に基づいて上記通信データを生成するための方法である。
【００３７】
更に、この受信方法は、
上記推定されたドップラーシフト量の正負を反転させた量に基づいて上記通信信号を復調することにより復調済信号を生成する第２の復調済信号生成工程と、
上記第１の復調済信号生成手段により生成された復調済信号と、上記第２の復調済信号生成手段により生成された復調済信号と、を合成することにより合成済信号を生成する合成工程と、
を含み、
上記生成された合成済信号に基づいて上記通信データを生成するように構成される。
【００３８】
また、本発明の他の形態であるプログラムは、
受信装置に、
通信データに基づく通信信号をアンテナを介して受信する受信手段と、
上記受信された通信信号のドップラーシフト量を推定するシフト量推定手段と、
上記推定されたドップラーシフト量に基づいて上記通信信号を復調することにより復調済信号を生成する第１の復調済信号生成手段と、
を実現させるとともに、
上記生成された復調済信号に基づいて上記通信データを生成させるためのプログラムである。
【００３９】
更に、このプログラムは、
上記受信装置に、更に、
上記推定されたドップラーシフト量の正負を反転させた量に基づいて上記通信信号を復調することにより復調済信号を生成する第２の復調済信号生成手段と、
上記第１の復調済信号生成手段により生成された復調済信号と、上記第２の復調済信号生成手段により生成された復調済信号と、を合成することにより合成済信号を生成する合成手段と、
を実現させるとともに、
上記生成された合成済信号に基づいて上記通信データを生成させるためのプログラムである。
【００４０】
上述した構成を有する、携帯型端末装置、基地局装置、受信方法、又は、プログラム、の発明であっても、上記受信装置と同様の作用を有するために、上述した本発明の目的を達成することができる。
【００４１】
以下、本発明に係る、受信装置、携帯型端末装置、基地局装置、受信方法、及び、プログラム、の実施形態について図１〜図４を参照しながら説明する。
【００４２】
＜実施形態＞
図１に示したように、実施形態に係る通信システム１は、基地局装置２と、端末装置３と、を含む。通信システム１は、ＣＤＭＡ（Ｃｏｄｅ  Ｄｉｖｉｓｉｏｎ  Ｍｕｌｔｉｐｌｅ  Ａｃｃｅｓｓ）方式により、基地局装置２と端末装置３とが通信するシステムである。
【００４３】
基地局装置２は、基地局アンテナ２ａを備えている。基地局装置２は、図示しない上位装置から受信した通信データを、拡散符号に基づいてスペクトラム拡散処理（拡散処理）することにより通信信号を生成する。基地局装置２は、生成した通信信号（拡散処理された信号）を、基地局アンテナ２ａを介して端末装置３へ送信する。
【００４４】
基地局装置２は、基地局アンテナ２ａを介して端末装置３から通信信号を受信する。基地局装置２は、受信した通信信号を、拡散符号に基づいてスペクトル逆拡散処理（逆拡散処理）することにより通信データを生成（復元）する。基地局装置２は、生成した通信データを図示しない上位装置へ送信する。
【００４５】
また、基地局装置２は、図示しない上位装置から拡散符号を受信し、受信した拡散符号を記憶する。なお、基地局装置２の一部は、本明細書において、受信装置とも呼ばれる。
【００４６】
端末装置３は、携帯型端末装置（本例では、携帯電話装置）である。端末装置３は、端末アンテナ３ａを備えている。端末装置３は、図示しないマイクロホンにより集音した音声を表す通信データを生成する。端末装置３は、生成した通信データを、拡散符号に基づいて拡散処理することにより通信信号を生成する。端末装置３は、生成した通信信号（拡散処理された信号）を、端末アンテナ３ａを介して基地局装置２へ送信する。
【００４７】
また、端末装置３は、端末アンテナ３ａを介して基地局装置２から通信信号を受信する。端末装置３は、受信した通信信号を、拡散符号に基づいて逆拡散処理することにより通信データを生成する。端末装置３は、生成した通信データに基づいて、図示しないスピーカを介して音声を出力する。
【００４８】
また、端末装置３は、図示しない上位装置から基地局装置２を介して拡散符号を受信し、受信した拡散符号を記憶する。なお、端末装置３の一部は、本明細書において、受信装置とも呼ばれる。
【００４９】
図３は、上記のように構成された基地局装置２の機能のうちの、通信信号を受信し受信した通信信号に基づいて通信データを生成（復元）するための機能を表すブロック図である。なお、端末装置３も同様の機能を有する。また、図３に示した機能は、基地局装置２又は端末装置３に含まれる受信装置の機能であると言うことができる。
【００５０】
この基地局装置２の機能は、ＲＦ部１１と、Ａ／Ｄ変換部１２と、パス検出部１３と、フィンガ制御部１４と、複数（本例では、ｎ個）のフィンガ部１５〜１７と、Ｒａｋｅ合成部（合成手段、合成工程）１８と、を含む。
なお、ＲＦ部１１及びＡ／Ｄ変換部１２は、受信手段（受信工程）を構成している。また、フィンガ制御部１４及びフィンガ部１５〜１７は、第１の復調済信号生成手段（第１の復調済信号生成工程）及び第２の復調済信号生成手段（第２の復調済信号生成工程）を構成している。
【００５１】
ＲＦ部１１は、発振回路を含む。Ａ／Ｄ変換部１２は、入力されたアナログ信号をデジタル信号に変換して出力する。ＲＦ部１１及びＡ／Ｄ変換部１２は、基地局アンテナ２ａを介して受信した通信信号を変換して出力する。
【００５２】
パス検出部１３は、拡散符号を、予め設定された位相シフト変化量（本例では、チップ１つに相当する量）ずつ増加する位相シフト量だけシフトさせるシフト処理を繰り返し実行するとともに、シフト処理の実行毎に、ＲＦ部１１及びＡ／Ｄ変換部１２によって出力された通信信号を、シフトされた拡散符号に基づいて逆拡散処理する。
【００５３】
更に、パス検出部１３は、逆拡散処理された通信信号に基づいて、位相シフト量毎の信号対雑音比（ＳＮＲ；Ｓｉｇｎａｌ  ｔｏ  Ｎｏｉｓｅ  Ｒａｔｉｏ）を算出する。パス検出部１３は、算出したＳＮＲが予め設定された閾値よりも大きくなる位相シフト量を表す情報をパス位置として出力する。即ち、パス位置は、通信信号の伝搬経路を特定するパス特定情報であると言うことができる。
【００５４】
フィンガ制御部１４は、フィンガ部１５〜１７を使用するための制御を行う。
フィンガ制御部１４は、シフト量閾値判定部１４ａと、距離閾値判定部（距離推定手段）１４ｂと、フィンガ割当部１４ｃと、を含む。
【００５５】
シフト量閾値判定部１４ａは、フィンガ部１５〜１７毎に、フィンガ部１５〜１７から出力されたドップラーシフト量が予め設定された閾値量以上であるか否かを判定する。ここで、ドップラーシフト量は、受信した通信信号の、送信された通信信号からの周波数領域におけるシフト量であって、通信信号を送信する端末装置３と基地局装置２とが相対移動することにより生じるドップラー効果に基づくシフト量である。
【００５６】
また、距離閾値判定部１４ｂは、パス検出部１３から出力されたパス位置に基づいて、端末アンテナ３ａと基地局アンテナ２ａとの間の距離（即ち、通信信号を送信してきた端末装置３と基地局装置２との間の距離）を推定する。距離閾値判定部１４ｂは、推定された距離が予め設定された閾値距離以下であるか否かを判定する。
【００５７】
フィンガ割当部１４ｃは、パス検出部１３から出力されたパス位置をフィンガ部１５〜１７に１つずつ割り当てる。フィンガ割当部１４ｃは、パス位置が割り当てられたフィンガ部１５〜１７へ、そのパス位置と、そのフィンガ部１５〜１７から受け取ったドップラーシフト量と、を出力する。
【００５８】
更に、フィンガ割当部１４ｃは、フィンガ部１５〜１７から出力されたドップラーシフト量が閾値量以上であるとシフト量閾値判定部１４ａにより判定され、且つ、距離閾値判定部１４ｂにより推定された距離が閾値距離以下であると判定された場合、そのフィンガ部１５〜１７に割り当てられたパス位置と同一のパス位置を、使用されていない（未使用の）フィンガ部１５〜１７に割り当てる。
【００５９】
そして、フィンガ割当部１４ｃは、その新たにパス位置が割り当てられたフィンガ部１５〜１７へ、そのパス位置と、パス位置を新たにフィンガ部１５〜１７へ割り当てる基となったドップラーシフト量（例えば、Δｆ）の正負を反転させた量（この場合、−Δｆ）と、を出力する。
【００６０】
更に、フィンガ割当部１４ｃは、１つのパス位置に対して複数のフィンガ部１５〜１７が割り当てられている状態において、フィンガ部１５〜１７から出力されたドップラーシフト量が閾値量よりも小さいとシフト量閾値判定部１４ａにより判定された場合、並びに、距離閾値判定部１４ｂにより推定された距離が閾値距離よりも長いと判定された場合、フィンガ部１５〜１７から出力された信号対干渉比（ＳＩＲ；Ｓｉｇｎａｌ  Ｉｎｔｅｒｆｅｒｅｎｃｅ  Ｒａｔｉｏ）に基づいて、そのパス位置に対して割り当てられているフィンガ部１５〜１７を削除する（割り当てられているフィンガ部１５〜１７の数を減少させる）。
【００６１】
フィンガ部１５は、逆拡散部１５ａと、復調部１５ｂと、シフト量推定部（シフト量推定手段、シフト量推定工程）１５ｃと、を含む。
【００６２】
逆拡散部１５ａは、フィンガ制御部１４から出力されたパス位置及びドップラーシフト量を受け付ける（入力する）。逆拡散部１５ａは、入力したパス位置だけシフトさせた拡散符号と、入力したドップラーシフト量と、に基づいて、ＲＦ部１１及びＡ／Ｄ変換部１２によって出力された通信信号を逆拡散処理する。
【００６３】
復調部１５ｂは、受信した通信信号に含まれるパイロット信号に基づいてチャネル推定値（フィンガ制御部１４から出力されたパス位置に係る通信信号の振幅及び位相）を算出する（チャネル推定を行う）。復調部１５ｂは、位相を基準位相に一致させるとともに振幅を基準振幅に一致させるように、上記逆拡散処理された信号を、算出されたチャネル推定値に基づいて復調することにより復調済信号を生成する。即ち、フィンガ部１５は、フィンガ制御部１４から出力されたパス位置に係る伝搬経路に対する復調済信号を生成していると言うことができる。
【００６４】
また、復調部１５ｂは、端末装置３からの通信信号の受信品質を表すパラメータとしてＳＩＲを算出し、算出したＳＩＲをフィンガ割当部１４ｃへ出力する。
【００６５】
シフト量推定部１５ｃは、特開２００１−１６１２０号公報等に開示されているように、上記逆拡散処理された信号に含まれるパイロット信号と、予め上位装置から受信したパイロット信号と、を複素乗算することにより、受信された通信信号のうちのフィンガ制御部１４から出力されたパス位置に係る伝搬経路を経由した通信信号のドップラーシフト量（周波数偏差）を推定し、推定したドップラーシフト量をシフト量閾値判定部１４ａへ出力する。
【００６６】
フィンガ部１６も、フィンガ部１５と同様の機能を有し、逆拡散部１６ａと、復調部１６ｂと、シフト量推定部１６ｃと、を含む。また、フィンガ部１７も、フィンガ部１５と同様の機能を有し、逆拡散部１７ａと、復調部１７ｂと、シフト量推定部１７ｃと、を含む。
なお、フィンガ部１５は、フィンガ部＃０とも表記され、フィンガ部１６は、フィンガ部＃１とも表記され、フィンガ部１７は、フィンガ部＃ｎとも表記される。
【００６７】
また、本明細書において、シフト量推定部１５ｃ〜１７ｃにより推定されたドップラーシフト量を入力するフィンガ部１５〜１７は、第１の復調済信号生成手段を構成し、シフト量推定部１５ｃ〜１７ｃにより推定されたドップラーシフト量の正負を反転させた量を入力するフィンガ部１５〜１７は、第２の復調済信号生成手段を構成している、と言うことができる。
【００６８】
Ｒａｋｅ合成部１８は、特許３４９７４８０号公報及び特開２００１−２０３６０８号公報等に開示されているように、復調部１５ｂ〜１７ｂにより生成された復調済信号をＲａｋｅ合成することにより合成済信号を生成する。
【００６９】
更に、基地局装置２は、図示しない回路を用いて、生成された合成済信号に基づいて通信データを生成する。
【００７０】
次に、フィンガ部＃ｉ（ｉは、０〜ｎの整数）からドップラーシフト量Ｘ（ｉ）が出力された場合におけるフィンガ制御部１４の作動について図４を参照しながら具体的に説明する。
【００７１】
この場合、シフト量閾値判定部１４ａは、ドップラーシフト量Ｘ（ｉ）が閾値量Ｘｔｈ以上であるか否かを判定する（ステップ４０１）。なお、閾値量Ｘｔｈは、基地局装置２に固有の値であって、端末装置３と基地局装置２とが相対的に移動する速度と、シフト量推定部１５ｃ〜１７ｃによるドップラーシフト量の推定精度と、の関係に基づいて適切な値が設定されることが好適である。
【００７２】
ドップラーシフト量Ｘ（ｉ）が閾値量Ｘｔｈよりも小さい場合、フィンガ制御部１４は、ステップ４０８の処理に移行する。一方、ドップラーシフト量Ｘ（ｉ）が閾値量Ｘｔｈ以上である場合、フィンガ制御部１４は、ステップ４０２の処理に移行する。即ち、この場合、比較的大きくドップラーシフト量が変化することが推測されていると言える。
【００７３】
距離閾値判定部１４ｂは、フィンガ部＃ｉの最新のパス位置Ｐ（ｉ）を選択し（ステップ４０２）、パス位置Ｐ（ｉ）に基づいて端末アンテナ３ａと基地局アンテナ２ａとの間の距離Ｄを推定する（ステップ４０３）。
【００７４】
そして、距離閾値判定部１４ｂは、推定された距離Ｄが閾値距離Ｄｔｈ以下であるか否かを判定する（ステップ４０４）。
推定された距離Ｄが閾値距離Ｄｔｈよりも長い場合、フィンガ制御部１４は、ステップ４０８の処理に移行する。一方、推定された距離Ｄが閾値距離Ｄｔｈ以下である（距離Ｄと閾値距離Ｄｔｈとが等しい、又は、距離Ｄが閾値距離Ｄｔｈよりも短い）場合、フィンガ制御部１４は、ステップ４０５の処理に移行する。即ち、この場合、端末装置３と基地局装置２との間の距離が小さいので、比較的大きくドップラーシフト量が変化することが推測されていると言える。
【００７５】
そして、フィンガ割当部１４ｃは、パス位置Ｐ（ｉ）に割り当てられているフィンガ部１５〜１７の数（フィンガ数）が１つであるか否かを判定する（ステップ４０５）。
【００７６】
パス位置Ｐ（ｉ）に割り当てられているフィンガ数が１つである場合、フィンガ割当部１４ｃは、ドップラーシフト量Ｘ（ｉ）に対して符号反転した量（ドップラーシフト量Ｘ（ｉ）の正負を反転させた量）−Ｘ（ｉ）に対してもフィンガ部を割り当てる。即ち、フィンガ割当部１４ｃは、未使用の（いずれのパス位置にも割り当てられていない）フィンガ部１５〜１７を抽出し、抽出したフィンガ部の１つをパス位置Ｐ（ｉ）に対して新たに割り当てる（ステップ４０６）。
【００７７】
そして、フィンガ割当部１４ｃは、パス位置Ｐ（ｉ）に新たに割り当てられたフィンガ部へパス位置Ｐ（ｉ）とドップラーシフト量−Ｘ（ｉ）とを出力する（ステップ４０７）。なお、ステップ４０６及びステップ４０７は、第２の復調済信号生成工程の一部に対応している。
【００７８】
一方、パス位置Ｐ（ｉ）に割り当てられているフィンガ数が２つ以上の場合、フィンガ制御部１４は、ステップ４０６及びステップ４０７の処理を実行しない。
【００７９】
また、ステップ４０８にて、フィンガ割当部１４ｃは、ステップ４０５と同様に、パス位置Ｐ（ｉ）に割り当てられているフィンガ数が１つであるか否かを判定する。
【００８０】
パス位置Ｐ（ｉ）に割り当てられているフィンガ数が１つである場合、フィンガ制御部１４は、ステップ４０９及びステップ４１０の処理を実行しない。
【００８１】
一方、パス位置Ｐ（ｉ）に割り当てられているフィンガ数が２つ以上の場合、フィンガ割当部１４ｃは、不要なフィンガ部を解放する（パス位置に対する割り当てを解除する）ために、パス位置Ｐ（ｉ）に割り当てられているフィンガ部１５〜１７の復調部１５ｂ〜１７ｂのそれぞれからSIRを取得して比較する（ステップ４０９）。そして、フィンガ割当部１４ｃは、SIRが低いフィンガ部１５〜１７を解放する（ステップ４１０）。
【００８２】
これにより、ドップラーシフト量が比較的大きく変動する可能性が低い状態において、無駄にフィンガ部が使用されている状態が継続することを防止することができる。
【００８３】
以上、説明したように、本発明の実施形態に係る通信システムにおいては、基地局装置２（受信装置）は、端末装置３（送信装置）が基地局装置２の近傍を通過する前の時点にて、端末装置３が基地局装置２の近傍を通過した後のドップラーシフト量（上述した例においては、−Ｘ（ｉ））に基づいて復調済信号を生成する。従って、基地局装置２は、端末装置３が基地局装置２の近傍を通過した直後の時点にて、実際のドップラーシフト量に十分に近いシフト量に基づいて復調済信号を生成することができる。この結果、端末装置３が基地局装置２の近傍を通過する際に、端末装置３が送信した通信データと、基地局装置２にて生成（復元）される通信データと、が一致した状態を維持することができる。
【００８４】
更に、上記実施形態においては、基地局装置２は、推定されたドップラーシフト量Ｘ（ｉ）が閾値量Ｘｔｈよりも小さい場合にステップ４０６及びステップ４０７の処理を行わない。即ち、基地局装置２は、この場合、ドップラーシフト量の推定値の正負を反転させた量に基づいて復調済信号を生成しない。これにより、ドップラーシフト量の推定値の正負を反転させた量に基づく通信信号の復調が無駄に行われることを防止することができる。
【００８５】
加えて、上記実施形態においては、基地局装置２は、推定された距離Ｄが閾値距離Ｄｔｈよりも長い場合にステップ４０６及びステップ４０７の処理を行わない。即ち、基地局装置２は、この場合、ドップラーシフト量の推定値の正負を反転させた量に基づいて復調済信号を生成しない。これにより、ドップラーシフト量の推定値の正負を反転させた量に基づく通信信号の復調が無駄に行われることを防止することができる。
【００８６】
また、上記実施形態においては、基地局装置２は、通信信号の伝搬経路毎に復調済信号を生成する。更に、基地局装置２は、生成された伝搬経路毎の復調済信号を合成することにより合成済信号を生成する。これによれば、端末装置３が送信した通信データと、基地局装置２にて生成される通信データと、をより一層確実に一致させることができる。
【００８７】
更に、上記実施形態においては、基地局装置２は、伝搬経路毎にドップラーシフト量を推定する。更に、基地局装置２は、伝搬経路毎に、推定されたドップラーシフト量の正負を反転させた量に基づいて通信信号を復調することにより、伝搬経路毎の復調済信号を生成する。
【００８８】
これによれば、伝搬経路毎にドップラーシフト量が異なる場合であっても、伝搬経路毎の実際のドップラーシフト量に十分に近いシフト量に基づいて復調済信号を生成することができる。この結果、端末装置３が送信した通信データと、基地局装置２にて生成される通信データと、をより一層確実に一致させることができる。
【００８９】
加えて、上記実施形態においては、通信信号は、拡散処理された信号であり、フィンガ部１５〜１７のそれぞれは、通信信号を逆拡散処理し、逆拡散処理された信号を復調することにより復調済信号を生成する。
【００９０】
これによれば、受信した通信信号に含まれる外部の雑音（ノイズ）の影響を低減することができる。この結果、端末装置３が送信した通信データと、基地局装置２にて生成される通信データと、をより一層確実に一致させることができる。
【００９１】
一方、端末装置３も、基地局装置２と同様に作動するので、上述した効果と同様の効果を奏する。
【００９２】
なお、本発明は上記実施形態に限定されることはなく、本発明の範囲内において種々の変形例を採用することができる。例えば、上記実施形態においては、基地局装置２は、パス位置に基づいて、通信信号を送信してきた端末装置３と基地局装置２との間の距離Ｄを推定するように構成されていたが、受信した通信信号の強度に基づいて距離Ｄを推定するように構成されていてもよい。また、基地局装置２は、パス位置を距離Ｄとして用いるように構成されていてもよい。
【００９３】
更に、上記実施形態は、推定された距離Ｄが閾値距離Ｄｔｈよりも長い場合、ドップラーシフト量の推定値の正負を反転させた量に基づいて復調済信号を生成しないように構成されていたが、推定された距離Ｄが閾値距離Ｄｔｈよりも長い場合であってもドップラーシフト量の推定値の正負を反転させた量に基づいて復調済信号を生成するように構成されていてもよい。
【００９４】
加えて、上記実施形態は、シフト量推定部１５ｃ〜１７ｃは、ドップラーシフト量を推定し、推定したドップラーシフト量をドップラーシフト量の推定値としてシフト量閾値判定部１４ａへ出力するように構成されていたが、推定したドップラーシフト量を時間的に平均した値（シフト量平均値）をドップラーシフト量の推定値としてシフト量閾値判定部１４ａへ出力するように構成されていてもよい。
【産業上の利用可能性】
【００９５】
本発明は、複数の携帯電話装置及び携帯電話装置間の通信を制御する基地局装置を含む携帯電話用通信システム等に適用可能である。
【図面の簡単な説明】
【００９６】
【図１】基地局装置と、基地局装置に対して一定の速度にて移動する端末装置と、を含む通信システムを概念的に示した図である。
【図２】図１に示した端末装置の位置に対する、基地局装置が端末装置から受信する通信信号のドップラーシフト量の変化を示したグラフである。
【図３】図１に示した基地局装置が通信信号を受信し受信した通信信号に基づいて通信データを生成（復元）するための機能を表すブロック図である。
【図４】図１に示した基地局装置の、パス位置をフィンガ部に割り当てる作動を表すフローチャートである。
【符号の説明】
【００９７】
１      通信システム
２      基地局装置
２ａ    基地局アンテナ
３      端末装置
３ａ    端末アンテナ
１１    ＲＦ部
１２    Ａ／Ｄ変換部
１３    パス検出部
１４    フィンガ制御部
１４ａ  シフト量閾値判定部
１４ｂ  距離閾値判定部
１４ｃ  フィンガ割当部
１５〜１７  フィンガ部
１５ａ〜１７ａ  逆拡散部
１５ｂ〜１７ｂ  復調部
１５ｃ〜１７ｃ  シフト量推定部
１８    Ｒａｋｅ合成部
【図１】
2009232329.tif 000003
【図２】
2009232329.tif 000004
【図３】
2009232329.tif 000005
【図４】
2009232329.tif 000006